(57)【特許請求の範囲】
【請求項１】
容器に投入された生ゴミを攪拌して特殊微生物の働きで肥料や飼料にする生ゴミの処理装置において、上記容器は車両の荷台に装着すると共に容器内には生ゴミを攪拌する攪拌装置を設け、そして容器後方には生ゴミを入れたバケットを載せて容器上部の入口となるホッパーに投入する為のエレベータを取付け、又容器後方には排出口から排出された肥料や飼料を載せて送り出す弓型に凹状湾曲したコンベヤを備え、該弓型コンベヤは側方へスライド可能に取付けられたことを特徴とする車両型生ゴミ処理装置。
【請求項２】
容器に投入された生ゴミを攪拌して特殊微生物の働きで肥料や飼料にする生ゴミの処理装置において、上記容器は車両の荷台に装着すると共に容器内には生ゴミを攪拌する攪拌装置を設け、そして容器後方には生ゴミを入れたバケットを載せて容器上部の入口となるホッパーに投入する為のエレベータを取付け、又容器後方には排出口から排出された肥料や飼料を載せて送り出す弓型に凹状湾曲したコンベヤを備え、該弓型コンベヤは弓型に湾曲したガイドレールに沿って側方へスライド可能に取付けたことを特徴とする車両型生ゴミ処理装置。
【請求項３】
上記コンベヤは両端にローラを軸支すると共に少なくとも片方を駆動ローラとし、そして両ローラには一定幅のベルトを巻き掛けし、ベルトは凹状湾曲した底板に沿って走行可能とし、又ベルトに載って運ばれる肥料や飼料が零れ落ちないように側板を備えた請求項１、又は請求項２記載の車両型生ゴミ処理装置。
【請求項４】
コンベヤには支持ローラを備え、該支持ローラがガイドレールに沿って走行可能とした請求項２、又は請求項３記載の車両型生ゴミ処理装置。
【請求項５】
上記エレベータには生ゴミを入れたバケットを載せる台を備え、このバケット台にはバケットを抱える為にバネ力を付勢した手をアーム先端に取付けた請求項１、請求項２、請求項３、又は請求項４記載の車両型生ゴミ処理装置。
【発明の詳細な説明】
【０００１】
【発明の属する技術分野】
本発明は生ゴミを肥料や飼料に処理する為の容器を装着した車両型生ゴミ処理装置に関するものである。
【０００２】
【従来の技術】
食品廃棄物再利用法が平成１３年５月から施行され、生ゴミは有機性資源とも食品循環資源とも呼ばれて排出事業者の責任によるリサイクル処理が義務付けられるようになっている。又、違反者には罰則を課して、食品残渣リサイクルの活性化を推進している。その相乗効果は、焼却によるエネルギーの消費抑制と二酸化炭素の削減と同時に、ダイオキシンの発生を抑制し、廃棄物最終処分地容量の延命、国内食糧自給率の向上が期待されている。
【０００３】
さらに、農林水産省が推進する「農業の自然循環機能の維持増進」と相まって、有機農産物の増加によるオーガニックフードが世に広まる事は、容易に考察することが出来る。それは健康寿命(介護を必要としない寿命)の向上という大きな視野にたった社会システムまでを意味している。これらのリサイクル情勢は、ゴミを出さない、再使用、再資源化の３つが示すように排出抑制に循環型社会の構築がさらに図られる。又、循環型社会形成推進基本法によって、まさに処理の形態がリサイクルというシステムに変貌していくことが示唆されている。
【０００４】
ところで、従来においても生ゴミを処理して有機肥料に変える装置及び方法は多く知られている。例えば、特開２０００−３２５９２８号に係る「生ゴミ処理装置」は、投入口と回収口を兼ねた開口部を備えた略円筒状の容器と、容器を回転自在に支持するスタンドと、開口部を閉蓋する蓋部材と、容器内に回転自在に配置された攪拌シャフトと、攪拌シャフトを回転させるモータと、ヒータとを備えており、容器はその回転中心が略水平となるようにスタンドによって支持されており、容器の回転によって開口部の高さ位置が変化するように構成している。そこで、この生ゴミ処理装置を家庭に設置することで、家庭で発生する生ゴミをその場で手軽に処理することが可能と成る。
【０００５】
又特開平１０−３４１１７号に係る「車載型生ゴミ処理装置」は車載可能な枠体上に、モータにより回転駆動され、温風機により内部が醗酵温度に保たれる生ゴミの醗酵回転ドラムと、モータ及び温風機に駆動電力を供給する直発電機とを設置し、これにより電灯線が配線されていない如何なる場所に設置しても直発電機にて得られた電力により生ゴミの醗酵及び消滅処理を可能にすると共に、車載したまま巡回回収して輸送中に生ゴミの醗酵及び消滅処理を可能としている。
この車載型生ゴミ処理装置は、例えば、特開２０００−３２５９２８号に係る「生ゴミ処理装置」のような設置型装置を大型化して車両に搭載出来るように構成したものである。
【０００６】
醗酵回転ドラムには生ゴミを入れて特殊な微生物と共に攪拌されるが、その処理方法には、
(１)生ゴミを特殊な微生物等の作用を用いて醗酵処理し、その大部分を水と二酸化炭素とに分解してしまう消滅処理する方法。
(２)生ゴミを特殊な微生物等の作用を用いて醗酵・熟成処理し、その大部分を肥料や飼料に転換させる肥料・飼料化処理する方法がある。
そして上記消滅処理、又は肥料・飼料処理の区別は、使用される微生物の種類や組み合せの相違、或は温度条件や攪拌タイミング等によって定まる。
【０００７】
ところで、上記醗酵回転ドラムは内周面に螺旋リブが設けられ、該醗酵回転ドラムが回転するならば内部の生ゴミは回転しながら攪拌され、回転ドラムの軸方向へ移動する。しかし、上記螺旋リブだけでは生ゴミを攪拌するには不十分であり、又大きな生ゴミは醗酵処理されずにそのまま残る場合が多く、処理に長時間を要す。そこで、醗酵回転ドラムに代わって特開２０００−３２５９２８号に係る「生ゴミ処理装置」の容器内部の攪拌シャフトを取付けた場合には、生ゴミの部分的な攪拌は出来るが容器全体で余すところなく攪拌することは出来ず、しかも醗酵処理された肥料や飼料の排出が容易でない等の問題がある。
【０００８】
又、生ゴミを醗酵回転ドラム上部に設けている投入口に投入する場合、生ゴミが入ったバケットをガイドレールに沿って上昇し、ガイドレール上端部にてバケットが反転するようになっている。そして該バケットを上昇する為にウインチを備えているが、バケットの大きさは一定でなくてはならず、専用のバケットに入替えて投入される。醗酵回転ドラムを車両に搭載して巡回しながら、専用のバケットに生ゴミを入替えて投入する作業は面倒である。
【０００９】
そして、吐き出し口にはホッパーを備えたスクリューコンベヤが横設され、該スクリューコンベヤの先端には縦送りの別のスクリューコンベヤが縦設されている。従って、醗酵生成物は高い位置に持上げられ、高い位置にある排出口から排出出来るように成っている。しかし、この排出高さを自由に調整出来る構造には成っていない為に、不都合を生じる場合も多い。
【００１０】
【発明が解決しようとする課題】
このように、従来の車載型生ゴミ処理装置には上記のごとき問題がある。本発明が解決しようとする課題はこれら問題点であって、生ゴミの投入及び排出が簡単に出来る車両型生ゴミ処理装置を提供する。
【００１１】
【課題を解決する為の手段】
本発明に係る車両型生ゴミ処理装置は車両に容器を搭載し、該容器内部には攪拌装置が取付けられ、該攪拌装置は水平軸に羽根を取付けている。この羽根は容器内部に投入された生ゴミを攪拌すると共に、軸方向へ送ることが出来る羽根形態と成っている。そして容器の後方上部には投入口となるホッパーが設けられ、該ホッパーに生ゴミを入れたバケットを持上げるエレベータを容器後方に装着している。
【００１２】
該エレベータはバケットを載せて上昇し、上端にて反転することで内部の生ゴミがホッパーに落下することが出来る。容器内は醗酵するに最適な温度に保たれ、その為に灯油バーナー等を備えて容器内に温風を供給している。そして容器内で醗酵処理された肥料や飼料を排出する為の排出口が容器の後方下部に設けられ、該容器内に取付けている攪拌装置が回転することで、処理された肥料又は飼料は排出される。
【００１３】
そして排出口には弓型に凹状湾曲したコンベヤが取付けられ、排出された肥料や飼料は該コンベヤに載って送り出される。ところで該コンベヤは弓型に湾曲すると共にスライド可能であり、側方へスライドすることで先端は高くなり、後退することで先端高さは低くなる。従って、肥料や飼料を車両から離れた場所へ運ぶ事が出来、又受け入れる場所の高さに応じてコンベヤ先端の高さを調整出来るようになっている。ここで、コンベヤのスライド構造は限定しないことにする。以下、本発明に係る実施例を図面に基いて詳細に説明する。
【００１４】
【実施例】
図１〜図３は本発明の車両型生ゴミ処理装置を示している実施例であり、図１は正面図、図２は平面図、図３は側面図を表わしている。そして同図の１は車両、２は生ゴミが投入されて処理される容器を示し、該容器２は車両の荷台に装着されている。該容器２の内部は大きな空間が形成され、この空間には攪拌装置が取付けられて、生ゴミを攪拌処理することが出来る。
【００１５】
容器２の前方側上部には灯油バーナー３が取付けられていて、該灯油バーナー３からの温風が容器内に送り込まれて生ゴミが醗酵処理されるに適した温度に保たれる。容器２の内部に取付けられている攪拌装置の軸は前後の軸受け４ａ，４ｂに支持され、軸先端に取着したスプロケット５はモータ６の主軸に取付けたスプロケット７とチェーンを介して連動する。モータ６は容器前方に搭載した発電機８から電気を得て回り、容器内の攪拌装置を回転駆動する。
【００１６】
容器２の上部には投入口となるホッパー９が設けられ、該ホッパー９からバケット１０に入れた生ゴミが投入されることになるが、バケット１０は容器２の後方に装着したエレベータ１１によって上昇し、上端にて反転することで中の生ゴミがホッパー９に落下する。容器２の内部には生ごみと特殊微生物が入れられて攪拌され、そして容器内には上記灯油バーナー３から温風が送り込まれることで適温が保たれて醗酵処理される。
【００１７】
容器内の温度は限定されるものではなく、特殊微生物の種類や生ゴミの処理方法によって異なるが、一般的に４０℃〜７０℃に保たれる。そして所定時間攪拌され、特殊微生物の働きで醗酵処理された肥料又は飼料は容器２の後方に設けている排出口１２から排出される。容器後方にはコンベヤ１３が装着され、排出口１２から排出された肥料や飼料は該コンベヤ１３に載って運び出される。
【００１８】
図４はエレベータ１１に取付けているバケット台２４を示している。エレベータ１１は上端と下端に設けているスプロケットにチェーン２６を巻き掛けし、該チェーンはガイドレール２５に沿って走行し、バケット台２４はチェーン２６に取着されている。バケット台２４は底板２７と背板２８を有し、該背板２８の両側からアーム２９ａ，２９ｂを延ばし、アーム先端には揺動する手３０を備えている。
【００１９】
手３０は軸３１を中心として揺動し、しかもバネ３２が取付けられていて、手３０は底板２７に載せたバケット１０を抱えることが出来る。又、アーム２９ａ，２９ｂの内側には内板３３が取付けられている。従って、バケット１０は両手３０，３０にて抱えられ、その大きさが違ってもバケット台２４に安定して載ることが出来る。車両は巡回して生ゴミを回収する事になるが、この際に、所々に置いてあるバケット１０はそのままバケット台２４に載せて容器２のホッパー９に生ゴミが投入される。
【００２０】
図５は容器後方に取付けられるコンベヤ１３を示している。該コンベヤ１３は滑らかな凹状に湾曲していて、しかもスライドすることが出来、両端にはモーターとして回転するローラ１４ａ，１４ｂを有し、このローラ１４ａ，１４ｂには一定幅のベルト１５が巻き掛けられている。ベルト１５は両ローラ間に設けている凹状に湾曲した底板１６に沿って走行し、ベルト１５を走らせることで該ベルト１５に載った肥料１７や飼料は運び出される。
【００２１】
そして凹状に湾曲した上記コンベヤ１３には２個の支持ローラ１８ａ，１８ｂを有し、この支持ローラ１８ａ，１８ｂは同じように湾曲したガイドレール１９に嵌って支持された状態にある(図６参照)。そこで、ガイドレール１９に載ったコンベヤ１３は該ガイドレール１９に沿って移動することが出来、左方向へ又は右方向へ延びる。その為に、コンベヤ１３の先端は車両側方へ大きく伸びる事が出来、又先端高さは高くなったり低くなったりする。すなわち、湾曲したガイドレール１９に重なり合う位置にコンベヤ１３が位置する場合には低く、逆にガイドレール１９から大きく食み出して左方向へ又は右方向へ伸びることで高くなる。
【００２２】
すなわち、本発明では弓型に湾曲したコンベヤ１３を備え、容器２の排出口１２から排出される肥料１７又は飼料をコンベヤ１３に載せ、そして該コンベヤ１３を引出して伸ばすことで先端の高さを適当に調整することが出来る。肥料１７又は飼料はコンベヤ１３の先端から流れ落ちる。該コンベヤ１３にはコ型の持ち手２０，２０…が取着され、該持ち手２０を握って引出すことが出来、適当な位置で固定される。
【００２３】
図７はコンベヤ中央部での縦断面を示しているが、上部には上方を開いた側板２１，２１が沿設され、湾曲した底板１６との間をベルト１５が走行する。そしてコンベヤ１３にはＬ型金具２２，２２…が取着され、該Ｌ型金具２２に設けている穴にピン２３を挿通し、該ピン２３はガイドレール１９の穴にも貫通している。従って、スライドして引出されたコンベヤ１３はＬ型金具２２の穴をガイドレール１０の穴に位置決めしたところでピン２３を挿入して固定する。
【００２４】
図８はコンベヤ先端部の縦断面を示している。先端にはローラ１４が設けられ、ベルト１５は該ローラ１４に巻付き、コンベヤ上部には底板１６に沿って側板２１，２１が沿設されている。そしてベルト１５は該底板１６と側板２１，２１との隙間を走行する。
【００２５】
ところで、上記容器内には攪拌装置(図示なし)が取付けられている訳で、該攪拌装置は水平軸から放射状に延びるアーム先端に羽根を取着している。ただし、本発明ではこの攪拌装置の具体的な構造に関して限定はしない。例えば、羽根を所定方向に傾斜した板材で構成し、しかし、水平軸の両端には三角形の羽根を取着している。又、アームの長さは特に限定しないが、各々のアーム先端に取着した各羽根で容器内の生ゴミを均一に攪拌することが出来る。
【００２６】
そして、一定方向に傾斜した板状羽根は水平軸を中心として回転することで、生ゴミを容器の軸方向へ送り、又逆転することで反対方向へ送られる。ただし、水平軸両端部から延びているアーム先端に取着した三角羽根は生ゴミの流れを押戻すように作用する。従って、生ゴミを容器内で循環させ、全体を均一に攪拌することが出来、又容器２の端面に大きな押圧力が作用しないようになる。
【００２７】
以上述べたように、本発明の車両型生ゴミ処理装置は容器内に攪拌装置を設け、該容器内で醗酵処理された肥料や飼料を排出するコンベヤを容器後方に設け、コンベヤは弓型に湾曲すると共にスライドして引出すことが出来るようにしたものであり、次のような効果を得ることが出来る。
【００２８】
【発明の効果】
本発明の車両型生ゴミ装置は生ゴミを処理する容器を車両に装着している為に、車で巡回しながら生ゴミを容器に投入して処理することが出来る。そして容器後方にはエレベータを備え、該エレベータにて生ゴミを入れたバケットを持ち上げて入り口ホッパーから投入することが出来る。エレベータにはバケット台が取付けられ、このバケット台に生ゴミが入っているバケットを載せて上昇し、上端にて反転することが出来る。又、バケット台にはアームを有し、アーム先端に軸支した手にてバケットを抱えることが出来る為に、大きさが違うバケットであってもエレベータに載せることが出来る。すなわち、専用のバケットに生ゴミを入替える必要はない。
【００２９】
一方、容器後方にはコンベヤを設け、該コンベヤにて容器から排出される肥料や飼料を運び出すことが出来る。そして、該コンベヤは弓型に湾曲していて、しかもスライド可能な構造と成っている為に、コンベヤを引出すことで肥料や飼料を適当な場所へ運び入れることが出来る。そして弓型に湾曲している為に引き伸ばしたコンベヤ先端は高くなり、排出口より高い場所への運び出しが可能となる。
【図面の簡単な説明】
【図１】車両型生ゴミ処理装置の正面図。
【図２】車両型生ゴミ処理装置の平面図。
【図３】車両型生ゴミ処理装置の側面図。
【図４】エレベータに取付けられるバケット台。
【図５】容器後方のコンベヤ。
【図６】コンベヤがスライドする為の支持ローラが嵌っているガイドレール。
【図７】コンベヤ中央部縦断面。
【図８】コンベヤ先端部縦断面。
【符号の説明】
１  車両
２  容器
３  灯油バーナー
４  軸受け
５  スプロケット
６  モータ
７  スプロケット
８  発電機
９  ホッパー
10  バケット
11  エレベータ
12  排出口
13  コンベヤ
14  ローラ
15  ベルト
16  底板
17  肥料
18  支持ローラ
19  ガイドレール
20  持ち手
21  側板
22  Ｌ型金具
23  ピン
24  バケット台
25  ガイドレール
26  チェーン
27  底板
28  背板
29  アーム
30  手
31  軸
32  バネ
33  内板
【図１】
0003780409.tif 000002
【図２】
0003780409.tif 000003
【図３】
0003780409.tif 000004
【図４】
0003780409.tif 000005
【図５】
0003780409.tif 000006
【図６】
0003780409.tif 000007
【図７】
0003780409.tif 000008
【図８】
0003780409.tif 000009